(57)【要約】【課題】簡便に設置することができ、人の存在、不存在を検出すると共に、人の状態を検出することが可能な電波センサー装置を提供する。【解決手段】電波センサー装置１は、人の状態を検出するための電波媒体を送信して、帆との状態を検出する電波センサー３と、人が存在しているか否かを検出可能な人感知センサー２とを備える構成とする。電波センサー３の送信部６は、電波媒体の他に、人感知センサー２による検出結果を送信するための送信媒体を送信する。これにより、複数のセンサーの個別の調整、受信状態の確認の必要をなくし、電波センサー装置１を簡便に設置することができる。【選択図】図１
2015153245.tif 000002
【特許請求の範囲】
【請求項１】
人の状態を検出するための電波媒体を送信する送信部及び前記電波媒体を受信する受信部を有する電波センサーと、
前記電波センサーとは異なり、人が存在しているか否かを検出可能な人感知センサーとを備え、
前記人感知センサーによる検出結果を送信するための送信媒体は、前記電波センサーの送信部から送信されることを特徴とする電波センサー装置。
【請求項２】
前記電波センサーの送信部及び前記人感知センサーの両方に電力を供給する共通の電源回路を備えることを特徴とする請求項１に記載の電波センサー装置。
【請求項３】
前記人感知センサーは赤外線センサーであることを特徴とする請求項１又は２に記載の電波センサー装置。
【請求項４】
前記赤外線センサーの赤外線検出部は、上下方向に延在する軸線を中心として回転可能であることを特徴とする請求項３に記載の電波センサー装置。
【請求項５】
前記電波センサーの送信部及び前記人感知センサーは、共通の筐体内に収容されていることを特徴とする請求項１〜３の何れか一項に記載の電波センサー装置。
【請求項６】
前記人感知センサーを収容する筐体には、建物の出入口に設置されている建具枠の鴨居部又は方立部に固定される固定部が設けられ、
前記固定部は、前記鴨居部又は前記方立部を挟持する一対の挟持片を有することを特徴とする請求項４に記載の電波センサー装置。
【請求項７】
前記電波センサーの送信部を収容する筐体の表面には、前記表面から外方に突出し、建物の壁面に設置されたコンセントに差し込み可能なプラグが設けられていることを特徴とする請求項４に記載の電波センサー装置。
【請求項８】
前記電波センサーの送信部及び前記赤外線センサーは、建物の壁面に設置された手摺内に収容され、前記赤外線センサーの赤外線検出部は前記手摺から露出していることを特徴とする請求項３に記載の電波センサー装置。
【請求項９】
前記電波センサーの送信部には、前記電波媒体を遮蔽する遮蔽板が設けられ、前記遮蔽板を着脱することで、前記電波媒体の出射範囲を調整可能であることを特徴とする請求項１〜７の何れか一項に記載の電波センサー装置。
【発明の詳細な説明】
【技術分野】
【０００１】
本発明は、人の状態を検出するための電波センサーを備えた電波センサー装置に関する。
【背景技術】
【０００２】
電波センサーの送信機は、人の状態を検出するために電波媒体を出射する。出射された電波媒体は建物（例えば住宅）内の壁や窓に当たり反射しながら電波センサーの受信機に到達する。電波媒体が通過した経路によって電波媒体の情報量が変化するので、この情報量の変化を分析して、建物内への人の侵入を検知したり、建物内の人の活動を検出したりすることができる。
【先行技術文献】
【特許文献】
【０００３】
【特許文献１】特開平７−２２０１８８号公報
【発明の概要】
【発明が解決しようとする課題】
【０００４】
しかしながら従来技術では、電波媒体が通過した経路に変化がない場合には、電波媒体が通過した検出範囲において、人は存在するがその人が動いていないのか、そもそも人が存在しないのかを区別することができなかった。また、設置の際の煩わしさを無くして、簡便に設置することが可能な電波センサー装置が求められている。
【０００５】
本発明は簡便に設置することができ、人の存在、不存在を検出すると共に、人の状態を検出することが可能な電波センサー装置を提供することを目的とする。
【課題を解決するための手段】
【０００６】
本発明の電波センサー装置は、人の状態を検出するための電波媒体を送信する送信部及び電波媒体を受信する受信部を有する電波センサーと、電波センサーとは異なり、人が存在しているか否かを検出可能な人感知センサーとを備え、人感知センサーによる検出結果を送信するための送信媒体は、電波センサーの送信部から送信されることを特徴としている。
【０００７】
この電波センサー装置によれば、人感知センサーによって人が存在しているか否かを検出することができ、電波センサーによって人の状態を検出することができる。この電波センサーの送信部では、人の状態を検出するための電波媒体の他に、人感知センサーによる検出結果を送信するための送信媒体を送信するので、複数のセンサーを備える電波センサー装置であっても、電波センサーの電波媒体の送受信および人感知センサーの検出結果を送信するための送信媒体の送受信を個別に調整する必要がなく、受信状態の確認を個別に行う必要がない。そのため、簡便に設置することができ、電波センサーを設置する際の調整などの煩わしさを解消することができる。
【０００８】
電波センサー装置は、電波センサーの送信部及び人感知センサーの両方に電力を供給する共通の電源回路を備えることが好ましい。これにより、電波センサーの送信部及び人感知センサーに対して、別々に電源回路を設ける必要がなく、簡素な構成とすることができると共に設置の際の煩わしさを解消することができる。
【０００９】
また、人感知センサーは赤外線センサーであることが好ましい。これにより、赤外線センサーによって人が存在しているか否かを検出することができ、赤外線センサーによる検出結果を、電波センサーの送信部から送信することができる。
【００１０】
赤外線センサーの赤外線検出部は、上下方向に延在する軸線を中心として回転可能であることが好ましい。これにより、赤外線検出部を回転させて、赤外線の検出範囲を容易に変えることができ、赤外線センサーによる人の検出範囲を広げることができる。
【００１１】
電波センサーの送信部及び人感知センサーは、共通の筐体内に収容されていることが好ましい。これにより、一つの筐体を設置するだけで、電波センサーの送信部及び人感知センサーを取り付けることができる。
【００１２】
筐体には、建物の出入口に設置されている建具枠の鴨居部又は方立部に固定される固定部が設けられ、固定部は、鴨居部又は方立部を挟持する一対の挟持片を有することが好ましい。これにより、建具枠の内側から固定部を差し込んで、一対の挟持片によって鴨居部又は方立部を挟むことができるので、電波センサー装置を簡便に建具枠に取り付けることができる。電波センサーを建物の出入口に設置することで、建物に出入りする人を検出することができると共に、出入口近傍の人の状態を監視することができる。
【００１３】
筐体の表面には、表面から外方に突出し、建物の壁面に設置されたコンセントに差し込み可能なプラグが設けられていることが好ましい。これにより、コンセントにプラグを差し込むだけで、電波センサーを建物の壁面に取り付けることができる。例えば、宅内の電気配線工事が不要になる。
【００１４】
また、電波センサーの送信部及び赤外線センサーは、建物の壁面に設置された手摺内に収容され、赤外線センサーの赤外線照射部は手摺から露出していることが好適である。このように、建物の壁面に設置される手摺内に電波センサーの送信部及び赤外線センサーを収容することができるので、手摺を設置すると同時に、電波センサーの送信部及び赤外線センサーを建物の壁面に設置することができる。
【００１５】
電波センサーの送信部には、電波媒体を遮蔽する遮蔽板が設けられ、遮蔽板を着脱することで、電波媒体の出射範囲を調整可能であることが好ましい。これにより、遮蔽板を着脱するだけで、簡便に電波媒体の出射範囲を調整することができる。
【発明の効果】
【００１６】
本発明によれば、簡便に設置することができ、人の存在または不在を検出することができると共に、人の状態を検出することが可能な電波センサー装置を提供することができる。
【図面の簡単な説明】
【００１７】
【図１】本発明の一実施形態の電波センサー装置を示す概略構成図である。
【図２】ドア枠に取り付けられた状態の送信機を示す図である。
【図３】送信機の固定部を示す断面図である。
【図４】手摺型の送信機の筐体が壁に取り付けられた状態を示す斜視図である。
【図５】手摺型の電波センサー装置の分解側面図である。
【図６】コンセント差込み型の電波センサー装置の取付け状態を示す正面図である。
【図７】コンセント差込み型の電波センサー装置の正面断面図である。
【図８】コンセント差込み型の電波センサー装置の側面断面図である。
【図９】変形例に係る遮蔽板を示す平面図である。
【図１０】搬送波の一例を示す図である。
【発明を実施するための形態】
【００１８】
以下、図面を参照しつつ、本発明に係る電波センサー装置の実施形態について詳細に説明する。
【００１９】
（第１実施形態）
図１は、電波センサー装置１を示す概略構成図である。電波センサー装置１は、赤外線センサー２、電波センサー３、信号処理演算部４及び電源回路５を備えている。電波センサー装置１は、例えば住宅に設置され、室内の人の存在の有無を検出すると共に、室内の人の状態を検出する。
【００２０】
電波センサー装置１は、人が存在しているか否かを検出可能な人感知センサーとして、赤外線センサー２を有する。赤外線センサー２は、赤外線を照射する投光器及び対象物に当たって反射した赤外線を検出する赤外線検出部（例えばレンズ）を備えている。投光器から照射された赤外線は、例えば、対象物である人に当たって反射し、反射した赤外線は赤外線検出部によって検出される。
【００２１】
電波センサー３は、人の状態を検出するための電波媒体を送信する送信部６、及び送信された電波媒体を受信する受信部７を有する。検出範囲の一方側に送信部６が配置され、検出範囲の他方側に受信部７が配置される。すなわち、送信部６と受信部７との間の領域が検出範囲となる。電波センサー３の送信部６は、電波媒体として搬送波を出力する。電波センサー３の受信部７としては、複数のアレイアンテナを使用することができる。
【００２２】
電波センサー装置１は、電波センサー３の送信部６と、赤外線センサー２とを一体として備える送信機８を有する。送信機８は、電波センサー３の送信部６と、赤外線センサー２との両方に電力を供給する共通の電源回路５を備えている。以下、電波センサー３の送信部６と、赤外線センサー２との両方を指す場合にセンサー類と記す。電源回路５は、センサー類に電力を供給してもよく、例えば、電源回路５は、電波センサー３の送信部６を介して、赤外線センサー２に電力を供給してもよい。
【００２３】
送信機８は、センサー類及び電源回路５を収容する筐体９を有する。筐体９内において、センサー類及び電源回路５は電気的に接続されている。
【００２４】
送信機８は、複数の筐体を有し、複数の筐体が連結されることで一体として構成されているものでもよい。送信機８は、例えば、赤外線センサー２を収容する第１の筐体と、電波センサー３の送信部６及び電源回路５を収容する第２の筐体とを備え、これらの第１の筐体及び第２の筐体が連結されている構成でもよい。
【００２５】
ここで、電波センサー３の送信部６は、電波媒体の他に、赤外線センサー２による検出結果を送信する送信媒体を送信する。また、電波センサー３の受信部７は電波媒体及び送信媒体の両方を受信する。電波センサー３の送信部６と赤外線センサー２とは電気的に接続されている。赤外線センサー２による検出結果は、電波センサー３の送信部６に送信される。電波センサー３の送信部６は、電波媒体及び送信媒体として搬送波を送信する。
【００２６】
図１０は電波センサー３の送信部６から送信される搬送波の一例を示す図である。図１０では、横軸に時間の経過を示し、縦軸に振幅を示している。この搬送波では、時間ごとに、電波センサー３による人の状態を検出するための部分（電波媒体）Ｐ１と、赤外線センサー２による検出結果を送信するための部分（送信媒体）Ｐ２を交互に送信している。これにより、電波センサー３として人の状態を検出すると共に、赤外線センサー２による検出結果を送信する。
【００２７】
送信部６は、電波センサー３による人の状態を検出するための部分Ｐ１として、例えば一定の振幅の搬送波を送信する。送信部６は、赤外線センサー２による検出結果を送信するための部分Ｐ２として、例えば、周波数を変化させることで、“０”、“１”を送信する。
【００２８】
信号処理演算部４は、電波センサー３の受信部７と電気的に接続されている。受信部７で受信した搬送波は、信号処理演算部４に送信される。信号処理演算部４は、ＣＰＵを有し、赤外線センサー２による検出結果の解析及び電波センサー３による検出結果の解析を行う。信号処理演算部４は、赤外線センサー２による検出結果に基づいて、検出範囲内に人が存在するか否かを判定することができる。また、信号処理演算部４は、電波センサー３による検出結果に基づいて、人の状態を判定する。搬送波は伝達経路に応じて情報量が異なるので、信号処理演算部４は搬送波を解析して、搬送波の伝達経路を演算し、検出範囲内における人の状態を検出する。信号処理演算部４は、例えば、搬送波の強度に基づいて、人の状態（活動状態）を検出する。
【００２９】
また、電波センサー装置１は、信号処理演算部４による解析結果を出力する出力部を有する。出力部としては、例えば画像を表示する表示部が挙げられる。
【００３０】
次に、電波センサー装置１の動作について説明する。
電波センサー装置１では、赤外線センサー２から赤外線を照射する。照射された赤外線は人に当たって反射し、赤外線センサー２の検出部によって検出される。赤外線センサー２による検出結果は電波センサー３の送信部６に送信される。
【００３１】
電波センサー３の送信部６は、赤外線センサー２による検出結果を伝達する送信媒体及び人の状態を検出するための電波媒体として搬送波を送信する。この搬送波は、人の状態を検出するための情報を伝達する部分Ｐ１と、赤外線センサー２による検出結果を伝達するための部分Ｐ２とを有する。
【００３２】
電波センサー３の受信部７は、電波センサー３の送信部６から送信された搬送波を受信する。受信部７で受信された搬送波の情報は、信号処理演算部４に送信されて解析される。信号処理演算部４は、赤外線センサー２による検出結果に基づいて、人の存在の有無を検出する。また、信号処理演算部４は、電波センサー３による検出結果として、電気媒体の搬送経路を演算し、人の状態について検出する。信号処理演算部４は、人の状態として、検出範囲内において人が動いているか否か、人が動いている範囲などを検出する。
【００３３】
このような電波センサー装置１によれば、赤外線センサー２によって人が存在しているか否かを検出することができ、電波センサー３によって人の状態を検出することができる。この電波センサー３の送信部６では、人の状態を検出するための電波媒体と、赤外線センサー２による検出結果を送信するための送信媒体との両方を送信しているので、電波センサー３の他に赤外線センサー２を備える構成であっても、電波センサー３の電波媒体の送受信及び赤外線センサー２の送信媒体の送受信を個別に調整する必要がない。そのため、電波センサー装置１を簡便に設置して使用することができ、電波センサーを設置する際の調整や確認などの作業の煩わしさを解消することができる。また、専門的な知識がない人であっても容易に、電波センサー装置１を設置することができる。
【００３４】
また、電波センサー装置１は、センサー類に電力を供給する共通の電源回路５を備えているので、個別に電源回路を設ける必要がなく、センサー類を容易に一体化することができる。また、電波センサー装置１では、共通の筐体９内に、センサー類及び電源回路５が収容されて一体化されているので、送信機８を簡便に設置することができる。その結果、センサー類を別々に設置する必要がない。電波センサー装置１では、個別の配線工事の必要もなくなる。また、電波センサー装置１では、共通の信号処理演算部（例えばパソコン）４で、電波センサー３による検出結果及び赤外線センサー２による検出結果を解析することができる。
【００３５】
（第２実施形態）
次に第２実施形態に係る電波センサー装置について説明する。第２実施形態では電波センサー装置の送信機が玄関ドアのドア枠に取り付けられている場合について説明する。なお、第２実施形態の説明において第１実施形態と同じ説明は省略する。
【００３６】
第２実施形態の電波センサー装置２１は、図２に示されるように、玄関ドア１１のドア枠（建具枠）１２に取り付けられた送信機２２を備えている。送信機２２は、センサー類及び電源回路５を有する。送信機２２は、赤外線センサー２を収容する上部筐体２３と、電波センサー３の送信部６及び電源回路５を収容する下部筐体２４とを備えている。
【００３７】
上部筐体２３及び下部筐体２４は、上下に連結され一体化されている。上部筐体２３内の赤外線センサー２と下部筐体２４内の電波センサー３の送信部６とは、例えばＵＳＢ接続機構（例えば図７参照）により接続されている。
【００３８】
電波センサー装置２１の送信機２２は、ドア枠１２の上下方向に延在する方立部１３に固定されている。玄関ドア１１は例えば片開きのドアであり、ヒンジ１１ａとは反対側の方立部１３に送信機２２が取り付けられている。なお、送信機２２は、ドア枠１２のうち水平方向に延在する鴨居部１４に取り付けられているものでもよい。
【００３９】
送信機２２は住宅の壁１５の屋外側１５ａに配置され、人１６の頭部に対応する高さに配置されている。赤外線センサー２の赤外線の投光器（照射部）及び検出部は、ドア枠１２の開口部の内側に向けられている。
【００４０】
図３は、送信機２２がドア枠１２に取り付けられた状態を示す断面図である。図３に示されるように送信機２２には、ドア枠１２を挟んで取り付けられる固定金具（固定部）２５が設けられている。
【００４１】
固定金具２５は、金属プレートが屈曲されて、上から見た場合にコ字状を成すように形成されている。固定金具２５は、住宅の壁１５の屋外側１５ａに配置された挟持片２５ａ、壁１５の室内側１５ｂに配置された挟持片２５ｂ、及びこれらの挟持片２５ａ，２５ｂを連結する連結片２５ｃを有する。
【００４２】
連結片２５ｃの中央には、ドア枠１２の開口部内に突出する凸部１２ａに対応するように凸部形状２５ｄが設けられている。送信機２２の背面は、挟持片２５ａに例えば接着されて固定されている。室内側の挟持片２５ｂには板厚方向に貫通するボルト穴２５ｅが設けられ、ボルト穴２５ｅには調整用ボルト２６が挿入されている。
【００４３】
調整用ボルト２６は、室内側から方立部１３に向かって挿入され、先端部が挟持片２５ｂよりも方立部１３側に突出している。調整用ボルト２６に対応する位置には、当て板２７が配置され、調整用ボルト２６を捩じ込むことで、当て板２７が壁１５に押し当てられると共に挟持片２５ｂが壁１５から離間するように移動する。これにより、固定金具２５が全体的に引っ張られ、室内側の挟持片２５ａが方立部１３に押し付けられる。そのため、挟持片２５ａと当て板２７とによって両側から方立部１３を挟むことで、固定金具２５を確実に取り付けることができる。
【００４４】
また、電波センサー装置２１の受信部及び信号処理演算部は、住宅内に配置されている。電波センサー３の送信部６から送信された電波媒体は、壁１５を透過して、住宅内に送信されて、内部の人の状態を検出することができる。
【００４５】
このような第２実施形態の電波センサー装置２１によれば、赤外線センサー２が玄関ドア１１のドア枠１２の方立部１３に取り付けられているので、玄関を通過する人１６の有無を検出することができ、住宅内に人１６が存在するか否かを判定することができる。
【００４６】
また、送信機２２には固定金具２５が設けられ、このドア枠１２の方立部１３を挟むように固定金具２５を嵌めることで、簡便に送信機２２をドア枠１２に固定することができる。
【００４７】
なお、第２実施形態では、赤外線センサー２と、電波センサー３の送信部６とを一体として備える構成としているが、赤外線センサー２と電波センサー３の送信部６とを別々に備え、電線によって接続してもよい。例えば、赤外線センサー２を屋外に配置し、電波センサー３の送信部６を、壁を挟んで室内に配置し、赤外線センサー２による検出結果は、電線を通じて電波センサー３の送信部６に送信される。このような構成の電波センサー装置でもよい。また、電波センサー３の送信部６及び受信部７を屋外に配置して、屋外の人の状態を監視してもよい。
【００４８】
また、第２実施形態では、玄関のドア枠１２に送信機２２を取り付けているが、建物の室内の出入口のドア枠に送信機２２を取り付けてもよい。また、玄関以外の建物の出入口（例えば屋上に通じる出入口）に送信機２２を取り付けてもよい。また、送信機２２が取り付けられる建具枠は、玄関のドア枠に限定されず、窓枠でもよい。また、建具は、片開き形式のものに限定されず、両開き形式、引き戸形式のものでもよく、その他の形式のものでもよい。
【００４９】
（第３実施形態）
次に第３実施形態に係る電波センサー装置３１について説明する。第３実施形態では電波センサー装置３１の送信機３２が、手摺３３に組み込まれている場合について説明する。なお、第３実施形態の説明において上記の実施形態と同じ説明は省略する。
【００５０】
図４に示されるように、住宅の室内壁１７には、手摺３３が設けられている。手摺３３は、例えば室内の照明をＯＮ／ＯＦＦするためのスイッチ１８の近傍に配置されている。手摺３３は、円筒状の手摺本体３４と、手摺本体３４を支持する支持部３５とを備えている。手摺本体３４は例えば上下方向に延在し、支持部３５は上下方向に離間して複数設けられている。支持部３５は、手摺本体３４を挿通させて支持する支持リングを備え、この支持リングは室内壁１７に固定されている。
【００５１】
支持部３５は、図５に示されるように、手摺本体３４の外周面に密着する半円形状の受け部３３ａと、この受け部３３ａと室内壁１７との間に配置される円筒状の連結部３３ｂと、この連結部３３ｂの基端に固定された支持板３３ｃとを備えるものでもよい。
【００５２】
第３実施形態に係る電波センサー装置３１の送信機３２は、センサー類及び電源回路５を備え、これらのセンサー類及び電源回路５は手摺本体３４内に収容されている。すなわち、送信機３２の筐体は手摺本体３４を兼ねている。
【００５３】
手摺本体３４の上部側には、センサー類及び電源回路５を収容する収容部が形成されている。手摺本体３４は、正面側３４ａと背面側３４ｂとに分離可能となっている。正面側３４ａには、赤外線センサー２のレンズ部２ａを露出させるための正面開口３４ｃが形成されている。
【００５４】
また、手摺本体３４の背面側３４ｂには、支持部３５に対応する位置に背面開口３４ｄが形成されている。電源回路５に電力を供給する電気コード３７は、背面開口３４ｄ及び連結部３３ｂを通り、室内壁１７内に配線されている。
【００５５】
このような第３実施形態の電波センサー装置３１によれば、送信機３２の筐体が手摺本体３４を兼ねているので、手摺３３を設置することで電波センサー装置３１の送信機３２を簡便に設置することができる。また、手摺本体３４内にセンサー類及び電源回路５が配置されているので、利用者に違和感を与えるおそれが少ない。また、室内の照明用のスイッチ１８の近傍に、送信機３２が設置されているので、人が室内に入室した際や退室する際にスイッチ１８を操作した場合には、確実に人を検出することができると共に人の状態を検出することができる。
【００５６】
（第４実施形態）
次に第４実施形態に係る電波センサー装置４１について説明する。第４実施形態ではコンセント差込み型の送信機４２を備えた電波センサー装置４１について説明する。なお、第４実施形態において上記の実施形態と同じ説明は省略する。
【００５７】
第４実施形態の電波センサー装置４１の送信機４２は、図７〜図９に示されるように、赤外線センサー２を収容する上部筐体（第１の筐体）４３と、電波センサー３の送信部６を収容する下部筐体（第２の筐体）４４とを備えている。上部筐体４３及び下部筐体４４は、箱形を成し、同一の幅及び厚さを有する。幅は、図６に示した状態を正面とした場合の左右方向に沿う長さであり、厚さは正面と背面との間の長さである。
【００５８】
図７及び図８に示すように、上部筐体４３及び下部筐体４４は、ＵＳＢ（Universal Serial Bus）接続機構４５によって接続されている。上部筐体４３にＵＳＢの突出部４５ａが設けられ、下部筐体４４にはＵＳＢの受容部４５ｂが設けられている。ＵＳＢの突出部４５ａを受容部４５ｂに差し込むだけで、上部筐体４３と下部筐体４４とを連結して、上部筐体４３の底面と下部筐体４４の天面とを密着させることができる。
【００５９】
赤外線センサー２のレンズ部２ａは、上部筐体４３に対して回転可能に支持されている。上部筐体４３には、レンズ部２ａを回転可能に支持する支持ピン４６が設けられている。支持ピン４６は上下方向に沿って配置され、レンズ部２ａを保持するレンズホルダー（回転体）４０は支持ピン（軸線）４６を中心として回転可能となっている。
【００６０】
また、上部筐体４３の正面板４３ａに、赤外線センサー２のレンズ部２ａを露出させるための長穴４３ｅが形成されている。長穴４３ｅの内径は、図７に示されるように、上下方向よりも左右方向が長くなっている。長穴４３ｅの上下方向に沿う内径は、レンズ部２ａの外径に対応しており、左右方向に沿う内径は、レンズ部２ａの回転角度（回転範囲）に対応している。
【００６１】
下部筐体４４内には、電波センサー３の送信部６である送信用アンテナ４７が配置されている。送信用アンテナ４７は、例えば下部筐体４４の正面板４４ａに固定されている。また、下部筐体４４内には、電源回路５を有するＡＣアダプター４８が配置されている。ＡＣアダプター４８は、下部筐体４４の背面板４４ｂに固定されている。ＡＣアダプター４８から張り出すプラグ（ブレード）４９は、下部筐体４４の背面板４４ｂより外方に張り出している。
【００６２】
また、電波センサー装置４１は、下部筐体４４の背面板４４ｂを外面側から覆う遮蔽板５０を備えている。遮蔽板５０は例えば金属プレートからなり、ネジ止めによって背面板４４ｂに固定されている。遮蔽板５０は、下部筐体４４に対して着脱可能に構成されている。
【００６３】
また、図７に示されるように、下部筐体４４内には、電波媒体の送信状態を調整するための調整部５１が配置され、この調整部５１には調整用のダイヤル５１ａが取り付けられている。この調整用のダイヤル５１ａの外周部の一部は、下部筐体４４の底板４４ｃから外部に張り出している。利用者は、ダイヤル５１ａを回転操作することで、容易に搬送波の調整を行うことができる。具体的には搬送波の周波数を変えることができる。
【００６４】
また、電波センサー装置４１では、取外し可能なカメラ５２を有する。下部筐体４４内には、カメラ５２のＵＳＢを差し込むための受け部５３が収容され、下部筐体４４の側板４４ｄには、受け部５３に通じる差込口が形成されている。カメラ５２のＵＳＢを受け部５３に差し込んで装着することができる。カメラ５２で撮影したデータは、電波センサー３の送信部６から送信される搬送波によって、受信部７に送信されて信号処理演算部４で処理される。なお、図７では、カメラ５２を装着していない状態を図示している。
【００６５】
このような第４実施形態の電波センサー装置４１によれば、ＵＳＢ接続機構４５を用いて、上部筐体４３及び下部筐体４４を一体化することができると共に、赤外線センサー２と電波センサー３の送信部６を電気的に接続することができる。これにより、赤外線センサー２に給電することができると共に、赤外線センサー２による検出結果を電波センサー３の送信部に送ることができる。その結果、電波センサー３の送信部６から送信される搬送波を用いて、赤外線センサー２の検出結果を送信することができる。
【００６６】
また、上部筐体４３及び下部筐体４４が一体化されているので、送信機４２の設置が容易であり、意匠性を向上させることもできる。
【００６７】
送信機４２にはプラグ４９が設けられているので、プラグ４９をコンセント５４に先込むだけで、簡便に送信機４２を設置することができる。コンセント５４の位置に配置することができるので、送信機４２を目立たないようにすることができる。
【００６８】
また、赤外線センサー２のレンズ部２ａは上下方向に延在する回転軸を中心として回転可能であるので、レンズ部２ａの向きを変えることで、赤外線センサー２による検出範囲を広げることができる。そのため、赤外線センサー２の設置位置が限定されず、コンセントの位置に送信機４２を配置したとしても、赤外線センサー２のレンズ部２ａを所定の位置に向けることで、確実に対象物を検出することができる。
【００６９】
また、送信機４２の背面側には、遮蔽板５０が取り付けられているので、送信部６から出射される電波媒体及び送信媒体の範囲（向き）を限定することができる。遮蔽板５０を着脱することで、簡便に電波媒体及び送信媒体の出射範囲を調整することができる。
【００７０】
次に、図９を参照して、変形例に係る遮蔽板について説明する。図９に示されるような遮蔽板５５，５６を送信機に取り付けることで、電波センサー３の送信部６から出射される電波媒体及び送信媒体の範囲を限定してもよい。
【００７１】
図９（ａ）に示される遮蔽板５５は、Ｌ字型を成すように形成されている。遮蔽板５５は、送信機４２の下部筐体４４の背面を覆う本体５５ａと、本体５５ａから屈曲され下部筐体４４の側面を覆う側部５５ｂとを有する。これにより、送信部６から出射される電波媒体及び送信媒体の範囲を正面及び側部５５ｂが配置されていない側方に限定することができる。
【００７２】
図９（ｂ）に示される遮蔽板５６は、コ字状を成すように形成されている。遮蔽板５６は、送信機４２の下部筐体４４の背面を覆う本体５６ａと、本体５６ａから屈曲され下部筐体４４の両方の側面を覆う一対の側部５６ｂとを有する。これにより、送信部６から出射される電波媒体の範囲を正面に限定することができる。
【００７３】
なお、遮蔽板の形状は、これらに限定されず、底部を覆うもの、天部を覆うものでもよい。また、Ｕ字型のように曲線部分を有する形状でもよい。
【００７４】
本発明は、前述した実施形態に限定されず、本発明の要旨を逸脱しない範囲で下記のような種々の変形が可能である。
【００７５】
上記実施形態では、人感知センサーとして赤外線センサーを備える構成について例示しているが、人感知センサーは赤外線センサーに限定されず、例えば、テレビカメラ、呼び鈴のスイッチ、近接スイッチなどその他のセンサーでもよい。また、人感知センサー以外の他のセンサーによる検出結果を、電波センサー３の送信部から送信してもよい。人感知センサー以外の他のセンサーとしては、温度センサー、湿度センサーなどが挙げられる。
【００７６】
また、赤外線センサーのレンズ部の回転方向は水平方向に回転するものに限定されず、上下方向に回転するものでもよく、その他の方向に回転するものでもよい。
【００７７】
また、送信機の筐体の外形は、箱型に限定されず、円柱状のものでもよく、その他の形状でもよい。また、上記実施形態では、赤外線センサーを収容する筐体を上部に配置し、電波センサー３の送信部６を収容する筐体を下部に配置しているが、上下方向を逆にしてもよく、左右に連結させてもよく、前後（正面側又は背面側）に連結させてもよい。
【００７８】
電波センサー装置は、家庭用に限定されず、例えば、高齢者向け住宅、単身者向け賃貸住宅、病院、店舗、工場、駅、オフィスなどのその他に場所に設置されるものでもよい。
【符号の説明】
【００７９】
１，２１，３１，４１…電波センサー装置、２…赤外線センサー（人感知センサー）、２ａ…レンズ部（赤外線検出部）、３…電波センサー、５…電源回路、６…電波センサーの送信部、７…電波センサーの受信部、８…送信機、９…筐体、１２…ドア枠（建具枠）、１３…方立部、２５…固定金具（固定部）、３３…手摺、３４…手摺本体（共通の筐体）、４９…プラグ、５０，５５，５６…遮蔽板。
【図１】
2015153245.tif 000003
【図２】
2015153245.tif 000004
【図３】
2015153245.tif 000005
【図４】
2015153245.tif 000006
【図５】
2015153245.tif 000007
【図６】
2015153245.tif 000008
【図７】
2015153245.tif 000009
【図８】
2015153245.tif 000010
【図９】
2015153245.tif 000011
【図１０】
2015153245.tif 000012